(57)【特許請求の範囲】
【請求項１】
画像データの表示出力を制御する制御手段と、
前記制御手段が前記画像データを表示出力させる毎に、表示出力された画像データを識別する画像ＩＤと、該画像データが表示出力された表示時間とを少なくとも含んだ表示情報を生成する表示情報生成手段と、
前記表示情報生成手段が生成した前記表示情報を外部装置に送信し、当該表示情報と所定の関係を有した他の表示情報とともに、画像形成の単位となる一の単位情報として前記外部装置に管理させる送信手段と、
を備えることを特徴とする表示制御装置。 
【請求項２】
前記表示情報生成手段は、前記画像データの表示出力時に行われた操作内容を含んだ表示情報を生成することを特徴とする請求項１に記載の表示制御装置。 
【請求項３】
前記表示情報生成手段は、前記表示出力された画像データの画像サイズと、当該表示出力時の表示サイズとを含んだ表示情報を生成することを特徴とする請求項１又は２に記載の表示制御装置。 
【請求項４】
前記表示出力を行ったユーザを識別するユーザ情報を取得するユーザ情報取得手段を更に備え、
前記送信手段は、前記表示情報とともに前記ユーザ情報取得手段で取得されたユーザ情報を前記外部装置に送信し、同一のユーザ情報とともに送信された表示情報同士を、同一の単位情報として前記外部装置に管理させることを特徴とする請求項１〜３の何れか一項に記載の表示制御装置。 
【請求項５】
前記表示出力が行われた場所を示す場所情報を取得する場所情報取得手段を更に備え、
前記送信手段は、前記表示情報とともに前記場所情報取得手段で取得された場所情報を前記外部装置に送信し、同一の場所情報とともに送信された表示情報同士を、同一の単位情報として前記外部装置に管理させることを特徴とする請求項１〜３の何れか一項に記載の表示制御装置。 
【請求項６】
前記外部装置が管理する前記単位情報のうち、特定の単位情報を指示した印刷要求を前記外部装置に送信する印刷要求手段を更に備えることを特徴とする請求項１〜５の何れか一項に記載の表示制御装置。 
【請求項７】
複数の画像データを画像ＩＤと関連付けて記憶する記憶手段と、
前記記憶手段に記憶された画像データを外部装置からの要求に応じて当該外部装置に提供する提供手段と、
前記提供手段が提供した画像データの各々について、その画像データを識別する画像ＩＤと、当該画像データが前記外部装置で表示出力された期間である表示時間と、当該画像データの投影表示の順序を示す順序情報とを少なくとも含んだ表示情報を前記外部装置から取得する第１取得手段と、
前記第１取得手段が取得した表示情報を、当該表示情報と所定の関係を有した他の表示情報と関連付け、画像形成の単位となる一の単位情報として管理する管理手段と、
特定の単位情報を指示した印刷要求を受け付ける受付手段と、
前記印刷要求で指示された単位情報に係る前記表示情報を前記管理手段から取得するとともに、当該表示情報に含まれた画像ＩＤに対応する画像データを前記記憶手段から取得する第２取得手段と、
前記第２取得手段が取得した各表示情報に含まれる前記画像ＩＤの前記表示時間、及び、前記順序情報で示される投影表示の順序に基づいて、当該画像ＩＤに対応する画像データの表示出力が開始されたタイミングを抽出する抽出手段と、
前記抽出手段が抽出した各タイミングに対応する画像データを用いて、画像形成データを時系列順に生成する画像形成データ生成手段と、
を備えることを特徴とする画像形成データ生成装置。 
【請求項８】
前記抽出手段が抽出したタイミングを比較し、略同一となるタイミングが存在するか否かを判定する判定手段を更に備え、
前記画像形成データ生成手段は、前記判定手段が略同一と判定した複数のタイミングを同一とみなすことを特徴とする請求項７に記載の画像形成データ生成装置。 
【請求項９】
前記抽出手段は、表示時間が所定の閾値未満のものを、前記タイミングの抽出対象から除外することを特徴とする請求項７又は８に記載の画像形成データ生成装置。 
【請求項１０】
前記抽出手段は、前記抽出したタイミングのうち、同一の画像データについてのタイミングが複数存在する場合に、時系列的に最も古いタイミングを残して、他のタイミングを除外することを特徴とする請求項７〜９の何れか一項に記載の画像形成データ生成装置。
【請求項１１】
前記抽出手段は、前記抽出したタイミングのうち、同一の画像データについてのタイミングが複数存在する場合に、所定回数目以降のタイミングを除外することを特徴とする請求項７〜９の何れか一項に記載の画像形成データ生成装置。 
【請求項１２】
前記第１取得手段は、表示出力時の操作内容を含んだ表示情報を取得し、
前記抽出手段は、前記表示情報に含まれた前記操作内容が表示出力を戻す操作を示す場合に、当該表示情報に含まれた表示時間を、前記タイミングの抽出対象から除外することを特徴とする請求項７〜９の何れか一項に記載の画像形成データ生成装置。 
【請求項１３】
前記第１取得手段は、前記表示出力された画像データの画像サイズと、当該表示出力時の表示サイズとを含んだ表示情報を取得し、
前記画像形成データ生成手段は、前記表示情報に含まれた前記画像サイズ又は前記表示サイズに応じて、当該表示情報に含まれた画像ＩＤに対応する画像データのサイズを調整し、この調整した画像データを用いて前記画像形成データを生成することを特徴とする請求項７〜１２の何れか一項に記載の画像形成データ生成装置。 
【請求項１４】
前記画像形成データ生成手段は、同一の画像形成データに割り当てる複数の画像データの大きさが同等となるよう調整することを特徴とする請求項１３に記載の画像形成データ生成装置。 
【請求項１５】
前記第１取得手段は、前記表示情報とともに、表示出力が行われた場所を示す場所情報を取得し、
前記受付手段は、特定の単位情報及び特定の場所情報を指示した印刷要求を受け付け、
前記画像形成データ生成手段は、前記印刷要求で指示された場所情報と、印刷対象となった画像データの前記表示情報に含まれた場所情報との一致／不一致に基づいて、当該画像データのサイズを調整し、この調整した画像データを用いて前記画像形成データを生成することを特徴とする請求項７〜１４の何れか一項に記載の画像形成データ生成装置。 
【請求項１６】
前記管理手段は、前記第１取得手段が取得した前記表示情報を、前記外部装置から指定された他の表示情報と関連付けて管理することを特徴とする請求項７に記載の画像形成データ生成装置。 
【請求項１７】
前記管理手段は、前記第１取得手段が取得した前記表示情報を、当該表示情報に含まれた表示時間との時間差が所定の閾値以内となる表示時間を含んだ他の表示情報と関連付けて管理することを特徴とする請求項７に記載の画像形成データ生成装置。 
【請求項１８】
前記第１取得手段は、前記表示情報とともに、表示出力に係るユーザを識別するユーザ情報を取得し、
前記管理手段は、前記ユーザ情報が同一の前記表示情報を関連付けて管理することを特徴とする請求項７に記載の画像形成データ生成装置。 
【請求項１９】
前記第１取得手段は、前記表示情報とともに、表示出力が行われた場所を示す場所情報を取得し、
前記管理手段は、前記場所情報が同一の前記表示情報を関連付けて管理することを特徴とする請求項７に記載の画像形成データ生成装置。 
【請求項２０】
一又は複数の表示制御装置と、前記表示制御装置の各々に接続される画像形成データ生成装置と、を有した情報表示システムであって、
前記表示制御装置は、画像データの表示出力を制御する制御手段と、前記制御手段が前記画像データを表示出力させる毎に、表示出力された画像データを識別する画像ＩＤと、該画像データが表示出力された期間である表示時間と、当該画像データの投影表示の順序を示す順序情報とを少なくとも含んだ表示情報を生成する表示情報生成手段と、前記表示情報生成手段が生成した前記表示情報を前記画像形成データ生成装置に送信する送信手段と、
を備え、
前記画像形成データ生成装置は、前記送信手段が送信した前記表示情報を、当該表示情報と所定の関係を有した他の表示情報と関連付け、画像形成の単位となる一の単位情報として管理する管理手段と、特定のプレゼン情報を指示した印刷要求を受け付ける受付手段と、前記印刷要求で指示されたプレゼン情報に係る前記表示情報を前記管理手段から取得するとともに、当該表示情報に含まれた画像ＩＤに対応する画像データを取得する第２取得手段と、前記第２取得手段が取得した各表示情報に含まれる前記画像ＩＤの前記表示時間、及び、前記順序情報で示される投影表示の順序に基づいて、当該画像ＩＤに対応する画像データの表示出力が開始されたタイミングを抽出する抽出手段と、前記抽出手段が抽出した各タイミングに対応する画像データを用いて、画像形成データを時系列順に生成する画像形成データ生成手段と、
を備えることを特徴とする情報表示システム。
【発明の詳細な説明】
【技術分野】
【０００１】
本発明は、表示制御装置、画像形成データ生成装置及び情報表示システムに関する。
【背景技術】
【０００２】
従来、オフィスや大学で行われる講義や説明会あるいは打ち合わせ等で、説明資料を事前に人数分印刷して配布しつつ、情報投影装置としてのプロジェクタを利用して、ＰＣ（Ｐｅｒｓｏｎａｌ  Ｃｏｍｐｕｔｅｒ）上で作成した説明資料をスクリーンに投影するといった場面がある。このような場面には、ＰＣとプロジェクタとを、有線又は無線で接続したプロジェクション関連の技術や、ＰＣからの資料の印刷という既存の技術を用いている。
【０００３】
例えば、特許文献１には、プレゼンタが使用する主端末装置から受信した画像データを、参加者が使用する副端末装置からの要求により副端末装置に送信する機能をサーバ装置に設けることで、参加者は副端末装置の操作により所望の画像データをキャプチャして利用することが可能な技術が開示されている。
【０００４】
また、特許文献２には、プロジェクタ側で、ＵＲＬ（Ｕｎｉｆｏｒｍ  Ｒｅｓｏｕｒｃｅ  Ｌｏｃａｔｏｒ）で指定された記憶場所から、当該記憶場所に予め保存しておいた説明資料のデータを取得して投影表示することで、操作側のＰＣで投影表示する説明資料のデータの保持を不要とする技術が開示されている。
【発明の概要】
【発明が解決しようとする課題】
【０００５】
ところで、一台のプロジェクタを複数回用いて、或いは複数台のプロジェクタを用いて、所定の関係を有した複数の画像データを投影表示するような場合がある。しかしながら、従来技術では、ＰＣの画面をそのままプロジェクタで投影しない場合、すなわち、ＵＳＢ（Ｕｎｉｖｅｒｓａｌ  Ｓｅｒｉａｌ  Ｂｕｓ）メモリ等に画像データを保存しておいたり、ネットワーク経由で表示対象の画像データをプロジェクタに転送するような場合、これらの画像データを、その投影表示が行われた投影時の状態を反映して、一度に印刷等の画像形成を行うことが困難である。
【０００６】
本発明は、上記に鑑みてなされたものであって、一台のプロジェクタを複数回用いて、或いは複数台のプロジェクタを用いて投影表示された画像データを、投影表示が行われた投影時の状態を反映して、一度に画像形成することが可能な表示制御装置、画像形成データ生成装置及び情報表示システムを提供することを主な目的とする。
【課題を解決するための手段】
【０００７】
上述した課題を解決し、目的を達成するために、本発明にかかる表示制御装置は、画像データの表示出力を制御する制御手段と、前記制御手段が前記画像データを表示出力させる毎に、表示出力された画像データを識別する画像ＩＤと、該画像データが表示出力された表示時間とを少なくとも含んだ表示情報を生成する表示情報生成手段と、前記表示情報生成手段が生成した前記表示情報を外部装置に送信し、当該表示情報と所定の関係を有した他の表示情報とともに、画像形成の単位となる一の単位情報として前記外部装置に管理させる送信手段と、を備える。
【０００８】
また、本発明に係る画像形成データ生成装置は、複数の画像データを画像ＩＤと関連付けて記憶する記憶手段と、前記記憶手段に記憶された画像データを外部装置からの要求に応じて当該外部装置に提供する提供手段と、前記提供手段が提供した画像データの各々について、その画像データを識別する画像ＩＤと、当該画像データが前記外部装置で表示出力された表示時間とを少なくとも含んだ表示情報を前記外部装置から取得する第１取得手段と、前記第１取得手段が取得した表示情報を、当該表示情報と所定の関係を有した他の表示情報と関連付け、画像形成の単位となる一の単位情報として管理する管理手段と、特定の単位情報を指示した印刷要求を受け付ける受付手段と、前記印刷要求で指示された単位情報に係る前記表示情報を前記管理手段から取得するとともに、当該表示情報に含まれた画像ＩＤに対応する画像データを前記記憶手段から取得する第２取得手段と、前記第２取得手段が取得した各表示情報に含まれる画像ＩＤの表示時間に基づいて、当該画像ＩＤに対応する画像データの表示出力が開始されたタイミングを抽出する抽出手段と、前記抽出手段が抽出した各タイミングに対応する画像データを用いて、画像形成データを時系列順に生成する画像形成データ生成手段と、を備える。
【０００９】
また、本発明に係る情報表示システムは、一又は複数の表示制御装置と、前記表示制御装置の各々に接続される画像形成データ生成装置と、を有した情報表示システムであって、前記表示制御装置は、画像データの表示出力を制御する制御手段と、前記制御手段が前記画像データを表示出力させる毎に、表示出力された画像データを識別する画像ＩＤと、該画像データが表示出力された期間である表示時間と、当該画像データの投影表示の順序を示す順序情報とを少なくとも含んだ表示情報を生成する表示情報生成手段と、前記表示情報生成手段が生成した前記表示情報を前記画像形成データ生成装置に送信する送信手段と、を備え、前記画像形成データ生成装置は、前記送信手段が送信した前記表示情報を、当該表示情報と所定の関係を有した他の表示情報と関連付け、画像形成の単位となる一の単位情報として管理する管理手段と、特定のプレゼン情報を指示した印刷要求を受け付ける受付手段と、前記印刷要求で指示されたプレゼン情報に係る前記表示情報を前記管理手段から取得するとともに、当該表示情報に含まれた画像ＩＤに対応する画像データを取得する第２取得手段と、前記第２取得手段が取得した各表示情報に含まれる前記画像ＩＤの前記表示時間、及び、前記順序情報で示される投影表示の順序に基づいて、当該画像ＩＤに対応する画像データの表示出力が開始されたタイミングを抽出する抽出手段と、前記抽出手段が抽出した各タイミングに対応する画像データを用いて、画像形成データを時系列順に生成する画像形成データ生成手段と、を備える。
【発明の効果】
【００１０】
本発明によれば、一台のプロジェクタを複数回用いて、或いは複数台のプロジェクタを用いて投影表示された画像データを、投影表示が行われた投影時の状態を反映して、一度に画像形成することが可能な表示制御装置、画像形成データ生成装置及び情報表示システムを提供することができる。
【図面の簡単な説明】
【００１１】
【図１】図１は、実施の形態１の情報表示システムのネットワーク構成、及びプロジェクタ、印刷データ生成装置、印刷装置の各機能的構成を示すブロック図である。
【図２】図２は、画像リストのデータ構造の一例を示す説明図である。
【図３】図３は、実施の形態１のリンクテーブルの一例を示す説明図である。
【図４】図４は、実施の形態１のプレゼン情報に含まれる投影情報のデータ構造の一例を示す説明図である。
【図５】図５は、実施の形態１の文書データの登録処理のシーケンス図である。
【図６】図６は、実施の形態１の投影表示処理の手順を示すシーケンス図である。
【図７】図７は、第１投影情報登録処理の手順を示すフローチャートである。
【図８】図８は、第２投影情報登録処理の手順を示すフローチャートである。
【図９】図９は、第３投影情報登録処理の手順を示すフローチャートである。
【図１０】図１０は、第４投影情報登録処理の手順を示すフローチャートである。
【図１１】図１１は、実施の形態１の印刷処理の手順を示すシーケンス図である。
【図１２】図１２は、実施の形態１の印刷データ生成処理の手順を示すフローチャートである。
【図１３】図１３は、投影情報管理部に記憶されたプレゼン情報の一例を示す図である。
【図１４】図１４は、記憶部に記憶された画像リストの一例を示す図である。
【図１５】図１５は、画像データの一例を示す図である。
【図１６】図１６は、画像データの投影タイミングの一例を示す図である。
【図１７】図１７は、印刷データの一例を示す図である。
【図１８】図１８は、画像データの投影タイミングの一例を示す図である。
【図１９】図１９は、印刷データの一例を示す図である。
【図２０】図２０は、投影情報管理部に記憶されたプレゼン情報の一例を示す図である。
【図２１】図２１は、記憶部に記憶された画像リストの一例を示す図である。
【図２２】図２２は、画像データの投影タイミングの一例を示す図である。
【図２３】図２３は、印刷データの一例を示す図である。
【図２４】図２４は、実施の形態２の印刷データ生成処理の手順を示すフローチャートである。
【図２５】図２５は、投影情報管理部に記憶されたプレゼン情報の一例を示す図である。
【図２６】図２６は、記憶部に記憶された画像リストの一例を示す図である。
【図２７】図２７は、画像データの投影タイミングの一例を示す図である。
【図２８】図２８は、印刷データの一例を示す図である。
【図２９】図２９は、実施の形態３の印刷データ生成処理の手順を示すフローチャートである。
【図３０】図３０は、印刷データの一例を示す図である。
【図３１】図３１は、印刷データの一例を示す図である。
【図３２】図３２は、実施の形態１〜３の印刷データ生成装置のハードウェア構成例を示すブロック図である。
【図３３】図３３は、実施の形態１〜３のプロジェクタのハードウェア構成例を示すブロック図である。
【図３４】図３４は、情報表示システムの他の構成例を示す図である。
【図３５】図３５は、情報表示システムの他の構成例を示す図である。
【図３６】図３６は、情報表示システムの他の構成例を示す図である。
【図３７】図３７は、情報表示システムの他の構成例を示す図である。
【発明を実施するための形態】
【００１２】
以下に添付図面を参照して、表示制御装置、画像形成データ生成装置及び情報表示システムの実施の形態について詳細に説明する。
【００１３】
（実施の形態１）
図１は、実施の形態１の情報表示システムのネットワーク構成、及びプロジェクタ、印刷データ生成装置、印刷装置の各機能的構成を示すブロック図である。本実施形態にかかる情報表示システムは、表示制御装置としてのプロジェクタ１００と、画像形成データ生成装置としての印刷データ生成装置２００と、画像形成装置としての印刷装置３００と、ＰＣ４００とを備え、それぞれがインターネット等のネットワークに接続された構成となっている。なお、図１では、二台のプロジェクタ１００を備える構成としたが、ネットワークに接続されるプロジェクタ１００の個数はこれに限定されないものとする。
【００１４】
プロジェクタ１００は、図示しない投影ユニットを備え、文字や画像等の各種のデータを投影スクリーン等に投影表示（表示出力）する表示制御装置としての機能を有した情報表示装置である。印刷データ生成装置２００は、投影表示された文書データを印刷（画像形成）するための印刷データ（画像形成データ）を生成し、印刷装置３００に送信するものである。ここで、印刷データとしては、例えば、ＰＤＬ（Ｐｒｉｎｔ  Ｄｅｓｃｒｉｐｔｉｏｎ  Ｌａｎｇｕａｇｅ）データ等が該当する。印刷装置３００は、印刷部３０１を備え、印刷データ生成装置２００で生成された印刷データを受信し、印刷部３０１により、この印刷データを記録媒体に印刷する。
【００１５】
プロジェクタ１００の詳細について説明する。プロジェクタ１００は、図１に示すように、通信部１０１と、操作部１０２と、投影情報生成部１０３と、投影表示部１０４とを主に備えている。
【００１６】
通信部１０１は、文書データの投影表示を行う場合に、投影表示対象の文書データの画像リストを、印刷データ生成装置２００に要求して、当該画像リストを受信する。また、通信部１０１は、投影情報生成部１０３によって生成された、後述する投影情報を印刷データ生成装置２００に送信する。また、通信部１０１は、操作部１０２から受け付けた、後述するプレゼン情報の印刷を要求する印刷要求を印刷データ生成装置２００に送信する。
【００１７】
操作部１０２は、例えば、ボタンやリモコン受信部などにより構成される入力デバイスである。また、操作部１０２がキーボードを備えるように構成してもよい。なお、操作部１０２は、ユーザの操作に応じて、プロジェクタ１００の投影場所や、当該ユーザのユーザ情報等の入力が可能に構成されているものとする。
【００１８】
投影情報生成部１０３は、投影表示部１０４における投影表示の状態を画像データ毎に検知し、その検知結果（すなわち、投影表示の状態）を示す一又は複数の表示情報を投影情報として、通信部１０１を介して印刷データ生成装置２００へ送信する。
【００１９】
ここで、投影表示の状態を示す表示情報としては、プロジェクタ１００の投影表示部１０４において投影表示の対象となった画像データを示す「画像ＩＤ」や、当該画像データの投影表示の順序を示す「ページ番号」、その画像データの投影表示が行われた「投影時間」、その画像データの投影表示が行われた際の「操作内容」、画像データの「画像サイズ」、投影表示時の「投影サイズ」等が挙げられる。なお、操作部１０２等を介してプロジェクタ１００の投影場所を示す「投影場所情報」や、当該プロジェクタ１００を操作するユーザの「ユーザ情報」等が入力された場合には、これらの情報を投影情報に含めて送信するものとする。
【００２０】
投影表示部１０４は、文書データに対応する画像リストに含まれる画像データを、ユーザによって指示された表示順序でスクリーンに投影表示する。
【００２１】
次に、印刷データ生成装置２００の詳細について説明する。印刷データ生成装置２００は、図１に示すように、通信部２０１と、投影情報管理部２０２と、文書管理部２０３と、印刷データ生成部２０４と、画像データ生成部２０５と、記憶部２１０と、を主に備えている。
【００２２】
記憶部２１０は、ハードディスクドライブ装置（ＨＤＤ）等の記憶媒体であり、後述する文書データや、画像リスト等を記憶する。ここで、文書データには、プレゼンテーション資料作成ソフトウェアやワードプロセッサ等で生成されたデータ、あるいはこれらのデータから変換された表示用データ等が該当するが、これらに限定されるものではない。
【００２３】
画像データ生成部２０５は、文書データを構成する一又は複数のページのそれぞれを、プロジェクタ１００で投影表示が可能な形式の画像データに変換する。プロジェクタ１００で投影表示が可能な形式としては、例えば、ＪＰＥＧ形式等が挙げられるが、これに限定されるものではない。
【００２４】
文書管理部２０３は、ＰＣ４００から、プロジェクタ１００で投影する文書データを受信し、受信した文書データを記憶部２１０に保存する。また、文書管理部２０３は、画像データ生成部２０５により、変換された画像データの一覧からなる画像リストを記憶部２１０に保存するとともに、この画像リストと、画像リストを構成する画像データを含む文書データとリンクすることより、文書データと画像リストとを対応付ける。
【００２５】
図２は、画像リストのデータ構造の一例を示す説明図である。図２に示すように、画像リストには、投影表示用に変換された画像データと、この画像データを一意に識別するための画像ＩＤとがそれぞれ対応付けられて含まれる。文書管理部２０３は、このような画像リストと、変換元の文書データとをリンクテーブルを生成することによってリンクする。
【００２６】
図３は、リンクテーブルの一例を示す説明図である。リンクテーブルは、記憶部２１０に保存される。文書管理部２０３は、図３に示すように、文書データのファイル名である文書データ名と、この文書データから変換された画像データを含む画像リストのファイル名である画像リスト名とをリンクテーブルに対応付けて登録する。
【００２７】
また、文書管理部２０３は、プロジェクタ１００から通信部２０１を介して、投影表示対象の文書データの画像リストの要求を受け付けた場合には、リンクテーブルを参照して、記憶部２１０から、投影表示対象の文書データに対応する画像リストを読み出し、通信部２０１に受け渡す。
【００２８】
また、文書管理部２０３は、印刷データ生成部２０４から画像データの取得要求を受け付けた場合には、リンクテーブルを参照して、記憶部２１０から、投影表示対象の文書データに対応する画像リストを読み出して、印刷データ生成部２０４に受け渡す。
【００２９】
なお、文書データと画像リストのリンクの手法は、リンクテーブルを用いた手法に限定されるものではなく、文書データと画像リストとをリンクするものであれば、いずれの手法も適用することができる。
【００３０】
図１に戻り、通信部２０１は、プロジェクタ１００から、プロジェクタ１００の投影情報生成部１０３で生成された投影情報を受信する。また、通信部２０１は、プロジェクタ１００からの要求を受けて、文書データや当該文書データのリスト、プレゼン情報等をプロジェクタ１００に送信する。また、通信部２０１は、投影表示された文書データの印刷を指示する印刷要求をプロジェクタ１００から受け付けると、この印刷要求を印刷データ生成部２０４に送信する。
【００３１】
投影情報管理部２０２は、プロジェクタ１００から受信した投影情報を記憶する。この投影情報は、各プロジェクタ１００において投影表示が行われる毎に、当該プロジェクタ１００側で生成される。そして、生成された投影情報は、プロジェクタ１００から通信部２０１を介して投影情報管理部２０２へ順次（投影情報が生成される度に順次）送信される。そして、投影情報管理部２０２は、受け付けた投影情報を何れか一のプレゼン情報と関連付けて順次記憶する。
【００３２】
ここで、図４は、プレゼン情報の一例を模式的に示す図である。プレゼン情報は、画像形成の単位となる一の単位情報として機能し、点線Ａ内に示すデータ構造を備えている。ここで、投影情報は、一つの画像データを単位とした一又は複数の表示情報と、この画像データの投影表示が行われたプロジェクタ１００の投影場所を示す投影場所情報と、プロジェクタ１００を操作するユーザのユーザ情報と、投影表示が開始された時刻を表す投影開始時間とを有している。一つの表示情報には、投影表示の状態を示す情報としての、「画像ＩＤ」、「ページ番号」、「投影時間」、「操作内容」、「画像サイズ」、「投影サイズ」等が含まれる。
【００３３】
図１に戻り、印刷データ生成部２０４は、通信部２０１から印刷要求を受け付けると、印刷対象とされたプレゼン情報を投影情報管理部２０２から取得する。また、印刷データ生成部２０４は、印刷対象とされたプレゼン情報に含まれる各画像ＩＤに対応する画像データを文書管理部２０３から取得する。また、印刷データ生成部２０４は、プレゼン情報に含まれた各投影情報の投影時間に基づいて各画像データの投影タイミングを抽出し、この投影タイミングに応じた順序や構成で、取得した画像データを。印刷する用紙サイズに対応する印刷用メモリ領域に配置することで、印刷データを生成する。そして、印刷データ生成部２０４は、生成した全ての印刷データを印刷装置３００に送信して、印刷装置３００に印刷させる。なお、投影情報に基づいた具体的な印刷データの生成手法については後述する。
【００３４】
次に、以上のように構成された本実施形態の情報表示システムによる文書データの登録処理について説明する。図５は、実施の形態１の文書データの登録処理のシーケンス図である。
【００３５】
まず、ＰＣ４００は、文書データとともに文書登録の指示を印刷データ生成装置２００の文書管理部２０３に送信する（ステップＳ１１）。印刷データ生成装置２００の文書管理部２０３は、受信した文書データの画像変換指示を画像データ生成部２０５に送信する（ステップＳ１２）。
【００３６】
画像データ生成部２０５は、文書データを構成する一又は複数のページのそれぞれをプロジェクタ１００で投影表示可能な形式の画像データに変換する（ステップＳ１３）。そして、画像データ生成部２０５は、画像データから、図２に示す画像リストを生成して、生成した画像リストを文書管理部２０３に送信する（ステップＳ１４）。
【００３７】
次に、文書管理部２０３は、ＰＣ４００から受信した文書データと、画像データ生成部２０５から受信した画像リストとをリンクする（ステップＳ１５）。そして、文書管理部２０３は、文書データと画像リストを記憶部２１０に保存することにより登録する（ステップＳ１６）。記憶部２１０への保存が完了したら、文書管理部２０３は、文書データを送信したＰＣ４００に文書登録完了通知を送信する（ステップＳ１７）。以上のようにして、文書データが登録される。
【００３８】
次に、本実施の形態の情報表示システムによる文書データの投影表示処理について説明する。図６は、実施の形態１の投影表示処理の手順を示すシーケンス図である。
【００３９】
まず、プロジェクタ１００において、ユーザが操作部１０２から文書データの一覧表示要求の指示を行うと、これを受け付けた操作部１０２は、文書一覧取得要求を、通信部１０１を介して印刷データ生成装置２００に送信する（ステップＳ２１、Ｓ２２）。
【００４０】
印刷データ生成装置２００では、通信部２０１により文書一覧取得要求を受信すると、文書管理部２０３に対して、文書一覧取得要求を送信する（ステップＳ２３）。
【００４１】
文書一覧取得要求を受けた文書管理部２０３は、記憶部２１０に記憶された文書データをリスト化した文書一覧を取得し、取得した文書一覧を、通信部２０１を介してプロジェクタ１００に送信する（ステップＳ２４、Ｓ２５）。
【００４２】
プロジェクタ１００の通信部１０１は、印刷データ生成装置２００から文書一覧を受信すると、受信した文書一覧を投影情報生成部１０３に送信する（ステップＳ２６）。投影情報生成部１０３は、通信部１０１から文書一覧を受け付けると、この文書一覧とともに文書一覧の表示要求を投影表示部１０４に行う（ステップＳ２７）。投影表示部１０４は、文書一覧の表示要求を受けると、文書一覧の画像データを投影スクリーンに投影表示する（ステップＳ２８）。
【００４３】
ユーザは、投影スクリーン上に投影表示された、文書一覧を見ながら、操作部１０２を操作し投影表示の対象とする文書データを決定する。ユーザの決定操作を受け付けた操作部１０２は、指示された文書データの取得を要求する文書取得要求を、通信部１０１を介して印刷データ生成装置２００に送信する（ステップＳ２９、Ｓ３０）。
【００４４】
印刷データ生成装置２００では、通信部２０１により文書取得要求を受信すると、文書管理部２０３に対して、文書取得要求を送信する（ステップＳ３１）。文書取得要求を受けた文書管理部２０３は、記憶部２１０に記憶された文書データから、指示された文書データ（対応する画像リストを含む）を取得し、この取得した文書データを、通信部２０１を介してプロジェクタ１００に送信する（ステップＳ３２、Ｓ３３）。
【００４５】
プロジェクタ１００の通信部１０１は、印刷データ生成装置２００から文書データを受信すると、受信した文書データを投影情報生成部１０３に送信する（ステップＳ３４）。投影情報生成部１０３は、通信部１０１から文書データを受け付けると、この文書データとともに文書データの表示要求を投影表示部１０４に行う（ステップＳ３５）。投影表示部１０４は、文書データの表示要求を受けると、この文書データに含まれた画像データを投影スクリーンに投影表示する（ステップＳ３６）。
【００４６】
また、投影情報生成部１０３では、操作部１０２を介して入力される「進む」や「戻る」等の指示に従い、投影表示部１０４に投影表示させる画像データを切り換えるとともに、この投影表示の状態を表す表示情報を画像データ毎に順次生成する（ステップＳ３７）。また、投影情報に投影開始時間を含める場合には、投影情報生成部１０３は、投影表示が開始された時刻を図示しない計時部（例えば、Real  Time  Clock等）から取得し、投影開始時間として保持するものとする。そして、画像データの投影表示が完了すると、投影情報生成部１０３は、投影完了通知を操作部１０２に通知する（ステップＳ３８）。
【００４７】
そして、ユーザから操作部１０２を介して、投影情報生成部１０３で生成された投影情報の登録先となるプレゼン情報が指定されると、操作部１０２は、指定されたプレゼン情報を投影情報生成部１０３に通知する（ステップＳ３９）。なお、ここで、登録先となるプレゼン情報を選択させる画面を投影表示してもよく、この場合、印刷データ生成装置２００の投影情報管理部２０２から、各プレゼン情報の内容（投影情報）を示したリストを取得した後、ステップＳ２７及びＳ２８と同様に投影表示させればよい。
【００４８】
投影情報生成部１０３は、操作部１０２からの通知に応じて、ステップＳ３７で生成した一又は複数の表示情報を投影情報とし、当該投影情報と指定されたプレゼン情報とを含んだ投影情報登録要求を、通信部１０１を介して印刷データ生成装置２００に送信する（ステップＳ４０、Ｓ４１）。なお、ユーザ情報や投影場所情報、投影開示時間の取得が行われている場合には、これらの情報を投影情報に含めて送信する。
【００４９】
印刷データ生成装置２００では、通信部２０１により投影情報登録要求を受信すると、投影情報管理部２０２に対して、投影情報登録要求を送信する（ステップＳ４２）。投影情報登録要求を受けた投影情報管理部２０２は、後述する投影情報登録処理を実行し、投影情報登録要求に含まれた投影情報を、何れか一のプレゼン情報に関連付けて登録（保存）する（ステップＳ４３）。
【００５０】
以上のように、各プロジェクタ１００の投影情報生成部１０３で生成された投影情報が、印刷データ生成装置２００の投影情報管理部２０２に登録される。
【００５１】
次に、ステップＳ４３における投影情報登録処理（第１投影情報登録処理）の詳細について説明する。図７は、第１投影情報登録処理の手順を示すフローチャートである。
【００５２】
投影情報管理部２０２は、プロジェクタ１００から投影情報登録要求を受け付けると（ステップＳ５１）、この投影情報登録要求で指定されたプレゼン情報を、既存のプレゼン情報から検索し（ステップＳ５２）、該当するプレゼン情報が存在するか否かを判定する（ステップＳ５３）。ここで、指定されたプレゼン情報が存在した場合（ステップＳ５３；Ｙｅｓ）、投影情報管理部２０２は、この指定されたプレゼン情報に関連付けて、投影情報登録要求に含まれた投影情報を登録（保存）する（ステップＳ５４）。
【００５３】
また、ステップＳ５３において、指定されたプレゼン情報が存在しないと判定した場合（ステップＳ５３；Ｎｏ）、投影情報管理部２０２は、新たなプレゼン情報を生成し、このプレゼン情報に関連付けて、投影情報登録要求に含まれた投影情報を登録（保存）し（ステップＳ５５）、処理を終了する。
【００５４】
このように、第１投影情報登録処理によれば、ユーザから指定されたプレゼン情報に、投影情報を登録することが可能となる。これにより、所定の関係を有した複数の投影情報を同一のプレゼン情報に関連付けて登録することができるため、後述する印刷データ処理において、関連性の高い投影情報を用いて印刷データを生成することが可能となる。
【００５５】
なお、本実施の形態では、ユーザの指示により投影情報の登録先となるプレゼン情報を選択する形態としたが、これに限らず、投影情報に含まれる種々の情報に基づき、登録先となるプレゼン情報を自動で選択する形態としてもよい。以下、この形態の投影情報登録処理について、図８〜図１０を用いて説明する。
【００５６】
まず、図８を用いて、投影情報に含まれた投影開始時間に基づいて、登録先となるプレゼン情報を決定する形態について説明する。ここで、図８は、第２投影情報登録処理の手順を示すフローチャートである。なお、本処理の前提として、プロジェクタ１００において、投影開始時間が取得されているものとし、この投影開始時間を含んだ投影情報が送信されるものとする。
【００５７】
投影情報管理部２０２は、プロジェクタ１００から投影情報登録要求を受け付けると（ステップＳ６１）、この投影情報登録要求の投影情報に含まれた投影開始時間と、各プレゼン情報に登録された既存の投影情報（以下、既存投影情報という）に含まれた投影開始時間とを比較し（ステップＳ６２）、両投影開始時間の差が所定の閾値以内の既存投影情報が存在するか否かを判定する（ステップＳ６３）。ここで、両投影開始時間の時間差が所定の閾値以内（例えば、５分以内）と判定した場合（ステップＳ６３；Ｙｅｓ）、投影情報管理部２０２は、該当する既存投影情報と同一のプレゼン情報に関連付けて、投影情報登録要求に含まれた投影情報を登録（保存）し（ステップＳ６４）、処理を終了する。
【００５８】
また、ステップＳ６３において、両投影開始時間の時間差が閾値以内となる既存投影情報が存在しないと判定した場合（ステップＳ６３；Ｎｏ）、投影情報管理部２０２は、新たなプレゼン情報を生成し、このプレゼン情報に関連付けて、投影情報登録要求に含まれた投影情報を登録（保存）し（ステップＳ６５）、処理を終了する。
【００５９】
このように、第２投影情報登録処理によれば、登録先となるプレゼン情報を投影開始時間に基づいて決定することで、同一の会議や説明会等で用いられた複数のプロジェクタ１００から送信される投影情報を、同一のプレゼン情報に関連付けて登録することができるため、所定の関係を有した複数の投影情報を同一のプレゼン情報に関連付けて登録することが可能となる。
【００６０】
次に、図９を用いて、投影情報に含まれたユーザ情報に基づいて、登録先となるプレゼン情報を決定する形態について説明する。ここで、図９は、第３投影情報登録処理の手順を示すフローチャートである。なお、本処理の前提として、プロジェクタ１００において、ユーザ情報の入力が行われているものとし、このユーザ情報を含んだ投影情報が送信されるものとする。
【００６１】
投影情報管理部２０２は、プロジェクタ１００から投影情報登録要求を受け付けると（ステップＳ７１）、この投影情報登録要求に含まれたユーザ情報を、既存のプレゼン情報中の投影情報から検索し（ステップＳ７２）、該当する投影情報が存在するか否かを判定する（ステップＳ７３）。ここで、該当する投影情報が存在した場合（ステップＳ７３；Ｙｅｓ）、投影情報管理部２０２は、該当する既存投影情報と同一のプレゼン情報に関連付けて、投影情報登録要求に含まれた投影情報を登録（保存）し（ステップＳ７４）、処理を終了する。
【００６２】
また、ステップＳ７３において、該当する投影情報が存在しないと判定した場合（ステップＳ７３；Ｎｏ）、投影情報管理部２０２は、新たなプレゼン情報を生成し、このプレゼン情報に関連付けて、投影情報登録要求に含まれた投影情報を登録（保存）し（ステップＳ７５）、処理を終了する。
【００６３】
このように、第３投影情報登録処理によれば、登録先となるプレゼン情報をユーザ情報に基づいて決定することで、同一のユーザが投影表示を行った際の投影情報を、同一のプレゼン情報に関連付けて登録することができるため、所定の関係を有した複数の投影情報を同一のプレゼン情報に関連付けて登録することが可能となる。
【００６４】
次に、図１０を用いて、投影情報に含まれた投影場所情報に基づいて、登録先となるプレゼン情報を決定する形態について説明する。ここで、図１０は、第４投影情報登録処理の手順を示すフローチャートである。なお、本処理の前提として、プロジェクタ１００において、投影場所情報の入力が行われているものとし、この投影場所情報を含んだ投影情報が送信されるものとする。
【００６５】
投影情報管理部２０２は、プロジェクタ１００から投影情報登録要求を受け付けると（ステップＳ８１）、この投影情報登録要求に含まれた投影場所情報を、既存のプレゼン情報中の投影情報から検索し（ステップＳ８２）、該当する投影情報が存在するか否かを判定する（ステップＳ８３）。ここで、該当する投影情報が存在した場合（ステップＳ８３；Ｙｅｓ）、投影情報管理部２０２は、該当する既存投影情報と同一のプレゼン情報に関連付けて、投影情報登録要求に含まれた投影情報を登録（保存）し（ステップＳ８４）、処理を終了する。
【００６６】
また、ステップＳ８３において、該当する投影情報が存在しないと判定した場合（ステップＳ８３；Ｎｏ）、投影情報管理部２０２は、新たなプレゼン情報を生成し、このプレゼン情報に関連付けて、投影情報登録要求に含まれた投影情報を登録（保存）し（ステップＳ８５）、処理を終了する。
【００６７】
このように、第４投影情報登録処理によれば、登録先となるプレゼン情報を投影表示が行われた投影場所に基づいて決定することで、同一の投影場所で投影表示が行われた際の投影情報を、同一のプレゼン情報に関連付けて登録することができるため、所定の関係を有した複数の投影情報を同一のプレゼン情報に関連付けて登録することが可能となる。
【００６８】
なお、上述した第１〜第４の投影情報登録処理のうち、何れか一つの投影情報登録処理をステップＳ４３で実行するものとするが、これに限らず、複数の投影情報登録処理を組み合わせて実行する形態としてもよい。また、投影情報内の各表示情報に含まれた画像ＩＤから、当該画像ＩＤが属する文書データを特定し、この文書データに属する画像ＩＤを含んだ他の投影情報と同一のプレゼン情報に関連付けて登録（保存）する形態としてもよく、更にこの条件を、第１〜第４の投影情報登録処理の際の絞り込み条件として追加する形態としてもよい。
【００６９】
次に、本実施の形態の情報表示システムによる印刷処理について説明する。図１１は、実施の形態１の印刷処理の手順を示すシーケンス図である。
【００７０】
まず、プロジェクタ１００において、ユーザが操作部１０２を介してプレゼン情報の一覧の取得要求を指示したプレゼン一覧取得要求の指示を行うと、これを受け付けた操作部１０２は、プレゼン一覧取得要求を、通信部１０１を介して印刷データ生成装置２００に送信する（ステップＳ９１、Ｓ９２）。
【００７１】
印刷データ生成装置２００では、通信部２０１によりプレゼン一覧取得要求を受信すると、投影情報管理部２０２に対して、プレゼン一覧取得要求を送信する（ステップＳ９３）。プレゼン一覧取得要求を受けた投影情報管理部２０２は、プレゼン情報の一覧をリスト化したプレゼン一覧を取得し、取得したプレゼン一覧を、通信部２０１を介してプロジェクタ１００に送信する（ステップＳ９４、Ｓ９５）。
【００７２】
プロジェクタ１００の通信部１０１は、印刷データ生成装置２００からプレゼン一覧を受信すると、受信したプレゼン一覧を投影情報生成部１０３に送信する。投影情報生成部１０３は、通信部１０１からプレゼン一覧を受け付けると、このプレゼン一覧とともに文書一覧の表示要求を投影表示部１０４に行う（ステップＳ９６）。投影表示部１０４は、プレゼン一覧の表示要求を受けると、プレゼン一覧の画像データを投影スクリーンに投影表示する（ステップＳ９７）。
【００７３】
ユーザは、投影スクリーン上に投影表示された、プレゼン一覧を見ながら操作部１０２を操作し、印刷の対象とするプレゼン情報を決定する。ユーザの決定操作を受け付けた操作部１０２は、指示されたプレゼン情報の印刷を要求する印刷要求を、通信部１０１を介して印刷データ生成装置２００に送信する（ステップＳ９８、Ｓ９９）。
【００７４】
印刷データ生成装置２００では、通信部２０１により印刷要求を受信すると、印刷データ生成部２０４に対して、印刷要求を送信する（ステップＳ１００）。印刷要求を受けた印刷データ生成部２０４は、この印刷要求で指示されたプレゼン情報の取得を投影情報管理部２０２に指示する（ステップＳ１０１）。投影情報管理部２０２は、印刷データ生成部２０４から指示されたプレゼン情報を取得し、この取得したプレゼン情報を、印刷データ生成部２０４に送信する（ステップＳ１０２）。
【００７５】
プレゼン情報を受信すると、印刷データ生成部２０４は、このプレゼン情報に含まれる投影情報の各表示情報に含まれた画像ＩＤに対応する画像データの取得を文書管理部２０３に指示する（ステップＳ１０３）。文書管理部２０３は、印刷データ生成部２０４から指示された各画像ＩＤに対応する画像データを取得し、この取得した画像データを、印刷データ生成部２０４に送信する（ステップＳ１０４）。
【００７６】
画像データを受信すると、印刷データ生成部２０４は、この画像データと先に受信したプレゼン情報とに基づいて、印刷データ生成処理を行う（ステップＳ１０５）。ここで、印刷データ生成処理の詳細については後述する。
【００７７】
続いて、印刷データ生成部２０４は、生成した印刷データを印刷要求とともに印刷装置３００に送信する（ステップＳ１０６）。印刷要求を受信した印刷装置３００では、印刷部３０１が受信した印刷データを印刷する（ステップＳ１０７）。
【００７８】
次に、ステップＳ１０５における印刷データ生成処理の詳細について説明する。図１２は、実施の形態１の印刷データ生成処理の手順を示すフローチャートである。
【００７９】
まず、印刷データ生成部２０４は、印刷対象のプレゼン情報に含まれる投影情報毎に、各表示情報に含まれた投影時間に基づいて、各画像ＩＤ（画像データ）の投影タイミングを時系列順に抽出する（ステップＳ１１１）。次いで、印刷データ生成部２０４は、各投影情報について抽出した投影タイミングを比較し（ステップＳ１１２）、略同一となる投影タイミングが存在するか否かを判定する（ステップＳ１１３）。ここで、略同一の投影タイミングとは、例えば、前後２秒以内等、所定の閾値以内の時間差で投影が開始されたものを意味する。
【００８０】
ステップＳ１１３において、存在すると判定した場合（ステップＳ１１３；Ｙｅｓ）、印刷データ生成部２０４は、該当する投影タイミングを同一の投影タイミングとみなし（ステップＳ１１４）、ステップＳ１１５に移行する。なお、ステップＳ１１３において、存在しないと判定した場合には（ステップＳ１１３；Ｎｏ）、ステップＳ１１５に直ちに移行する。
【００８１】
続いて、印刷データ生成部２０４は、以下のステップＳ１１５及びＳ１１６の処理を、抽出した投影タイミングの個数分、時系列順位に繰り返し実行する。
【００８２】
印刷データ生成部２０４は、処理対象とした投影タイミングに対応する画像データを取得する（ステップＳ１１５）。ここで、投影タイミングに対応する画像データとは、この投影タイミングの際に表示されていた画像データであり、処理対象の投影タイミングに対応する表示情報に含まれた画像ＩＤ、ページ番号及び投影時間から特定される画像データである。なお、上記ステップＳ１１４において、同一とみなされた投影タイミングについては、ステップＳ１１５で同時に処理対象とされる。
【００８３】
そして、印刷データ生成部２０４は、ステップＳ１１５で取得した画像データを用いて、印刷データを生成する（ステップＳ１１６）。印刷データ生成部２０４は、ステップＳ１１５及びＳ１１６の処理を、投影タイミングの個数分の個数分繰り返し行うことで、同一のプレゼン情報に関連付けられた複数の投影情報に基づいて、投影タイミングの個数分の印刷データを生成する。
【００８４】
なお、印刷データの生成の際には、各画像データの印刷時のサイズを、当該画像データの画像サイズや投影サイズに応じた大きさに調整した後に印刷データを生成する形態としてもよい。また、基準となる画像データの画像サイズに合わせて、他の画像データの画像サイズを調整した後に、印刷データを生成する形態としてもよい。例えば、基準となる画像データの縦又は横の大きさに合わせて、他の画像データの縦横比を拡大又は縮小することで、画像サイズを同等とすることが可能となる。
【００８５】
以下、図１３〜図１７を用いて、本実施の形態の印刷データ生成処理の動作例について説明する。
【００８６】
図１３は、投影情報管理部２０２に記憶されたプレゼン情報の一例を示す図である。ここで、図１３は、二台のプロジェクタ１００（以下、「機器１」、「機器２」と表記）の各々において生成された投影情報を示したものである。また、図１４は、記憶部２１０に記憶された画像リストの一例を示す図である。図１４の画像リストでは、画像ＩＤ１〜６の画像データが登録された例を示している。なお、画像ＩＤ１〜６の画像データには、図１５に示すように、ファイル名と同じ文字が中央に描かれているものとする（以下、図１９、図２３についても同様）。
【００８７】
印刷データ生成部２０４は、図１３に示したプレゼン情報及び図１４に示した画像リスト（画像データ）を受信した後、このプレゼン情報に含まれる投影情報毎に、各表示情報に含まれた投影時間に基づいて、各画像データの投影タイミングを時系列順に抽出する。
【００８８】
図１３のプレゼン情報の場合、各投影情報での投影時間の推移から、各画像データの投影タイミングは、図１６のように表すことができる。ここで、図１６は、画像データの投影タイミングの一例を示す図である。図１６では、時間Ｔ＝０秒に、機器１で画像データＡ、機器２で画像データＤの投影表示が開始され、時間Ｔ＝２９秒に、機器２で画像データＥの投影表示が開始され、時間Ｔ＝３１秒に、機器１で画像データＢの投影表示が開始され、時間Ｔ＝６０秒に、機器２で画像データＦの投影表示が開始され、時間Ｔ＝９０秒に、機器１で画像データＣの投影表示が開始された例を示している。この場合、印刷データ生成部２０４は、投影タイミングとして、機器１の投影情報からＴ＝０秒、３１秒、９０秒を抽出し、機器２の投影情報からＴ＝０秒、２９秒、６０秒を抽出する。
【００８９】
続いて、印刷データ生成部２０４は、機器１の投影情報から抽出した投影タイミングと、機器２での投影情報から抽出した投影タイミングとを比較し、略同一のタイミングで投影が開始された画像ＩＤが存在するか否かを判定する。ここで、例えば、略同一と判定する際の指標となる閾値が「３秒以内」に設定されていたとすると、図１６に示した投影タイミングにおいて、印刷データ生成部２０４は、Ｔ＝０秒が同一と判定するとともに、Ｔ＝２９秒とＴ＝３１秒を略同一と判定する。そして、印刷データ生成部２０４は、Ｔ＝０同志を同一のタイミングとするとともに、Ｔ＝２９及びＴ＝３１を、例えばＴ＝３０等とすることで同一のタイミングとみなして処理する。その結果、印刷データ生成部２０４は、Ｔ＝０秒、３０秒、６０秒、９０秒の４つの投影タイミングについて、印刷データの生成を開始する。なお、Ｔ＝０は機器１及び機器２において同値であるため、一つに纏める処理を明示的に行わない形態としてもよい。
【００９０】
続いて、印刷データ生成部２０４は、上記Ｔ＝０秒、３０秒、６０秒、９０秒の投影タイミングに投影表示が行われていた画像ＩＤに対応する画像データを用いることで、図１７に示すような４ページ分の印刷データを生成する。ここで、図１７は、印刷データの一例を示す図である。１ページ目は、Ｔ＝０秒の投影タイミングで各機器に影表示されていた画像データ名（Ａ．ｊｐｇ、Ｄ．ｊｐｇ）を割り当てた例を示しており、２ページ目は、同一のタイミングとみなされたＴ＝２９秒及びＴ＝３１秒の投影タイミングで各機器に投影表示されていた画像データ（Ｂ．ｊｐｇ、Ｅ．ｊｐｇ）を割り当てた例を示している。また、３ページ目は、Ｔ＝６０秒の投影タイミングで各機器に投影表示されていた画像データ（Ｂ．ｊｐｇ、Ｆ．ｊｐｇ）を割り当てた例を示しており、４ページ目は、Ｔ＝９０秒の投影タイミングで各機器に投影表示されていた画像データ（Ｃ．ｊｐｇ、Ｆ．ｊｐｇ）を割り当てた例を示している。
【００９１】
このように、本実施の形態によれば、印刷データ生成装置２００は、プロジェクタ１００の各々で画像データの投影表示毎に生成された一又は複数の表示情報を含む投影情報を、当該投影情報と所定の関係を有する他の投影情報とプレゼン情報を用いて関連付けて保存し、何れかのプレゼン情報を指定する印刷要求が出された場合に、このプレゼン情報に属する投影情報を用いて印刷データを生成する。これにより、一台のプロジェクタを複数回用いて、或いは複数台のプロジェクタを用いて投影表示された画像データを、投影表示が行われた投影時の状態を反映して、一度に画像形成することができる。
【００９２】
また、印刷データ生成装置２００は、投影情報内の各表示情報に含まれた画像データ毎の投影時間に基づいて、各画像データの投影表示が開始された際の投影タイミングを抽出し、略同一の投影タイミングを一纏めにして時系列順に印刷データを生成する。これにより、投影情報の各々が生成された際の画像データの投影順序や投影時間を反映した印刷データを生成することができるため、投影表示を行ったユーザ（発表者）の意図した構成で印刷することが可能となる。
【００９３】
また、印刷データ生成装置２００は、プレゼン情報に含まれた投影情報の個数に応じた画像データを、同一の領域内に割り当てた印刷データを生成する。これにより、略同一の投影タイミングで投影表示された画像データを一度に確認することが可能となる。特に、複数台のプロジェクタを用いて同時進行的に投影表示が行われていた場合に、この投影表示の対象となった画像データの投影時の状態を反映した印刷データを生成することができるため、投影表示を行ったユーザ（発表者）の意図した構成で印刷することが可能となる。
【００９４】
なお、上記例では、機器１及び機器２において投影表示が連続して行われる場合を説明したが、これに限らず、何れか一方の機器において投影表示が中断等されてもよい。以下、図１８、図１９を参照して、この形態について説明する。
【００９５】
図１８は、画像データの投影タイミングの一例を示す図である。図１８に示すように、時間Ｔ＝０秒に、機器１で画像データ１Ａ、機器２で画像データ２Ａの投影表示が開始され、時間Ｔ＝３０秒に、機器１で画像データ１Ｂ、機器２で画像データ２Ｂの投影表示が開始されている。また、機器１では、画像データ１Ｂの投影開始３０秒後（時間Ｔ＝６０）に投影表示が中断されており、その６０秒後である時間Ｔ＝１２０秒に新たな投影表示として、画像データ１Ｅの投影表示が開始され、時間Ｔ＝１５０秒に、画像データ１Ｆの投影表示が開始されている。一方、機器２では、画像データ２Ｂの投影開始３０秒後（時間Ｔ＝６０）に画像データ２Ｃの投影表示が開始され、時間Ｔ＝９０秒に、画像データ２Ｄ、時間Ｔ＝１２０秒に、画像データ２Ｅ、時間Ｔ＝１５０秒に、画像データ２Ｆの投影表示が順次開始されている。なお、印刷データ生成装置２００の投影情報管理部２０２は、図１８の投影タイミングに応じたプレゼン情報が記憶され、記憶部２１０の画像リストには図１８の投影で用いられた画像データが登録されるものとする。
【００９６】
図１８に示すように、機器２が投影を一回行う間に、機器１が複数回（２回）投影を行うような場合、機器１及び機器２で同時に投影が行われている期間（０秒〜６０秒、１２０秒〜）については、両機器で投影表示中の画像データを用いて印刷データを生成し、機器１が中断中の期間（６０秒〜１２０秒）については、機器２で投影表示中の画像データ（画像データ２Ｃ、２Ｄ）のみを用いて印刷データを生成する。
【００９７】
ここで、図１９は、図１８の投影タイミングに対応する印刷データの一例を示す図である。ここで、１ページ目は、Ｔ＝０秒の投影タイミングで各機器に影表示されていた画像データ（１Ａ．ｊｐｇ、２Ａ．ｊｐｇ）を割り当てた例を示しており、２ページ目は、Ｔ＝３０秒の投影タイミングで各機器に投影表示されていた画像データ（１Ｂ．ｊｐｇ、２Ｂ．ｊｐｇ）を割り当てた例を示している。また、３ページ目及び４ページ目は、Ｔ＝６０秒、Ｔ＝９０秒の投影タイミングで機器２に投影表示されていた画像データ（２Ｃ．ｊｐｇ、２Ｄ．ｊｐｇ）をそれぞれ割り当てた例を示しており、機器１での画像データが割り当てられる領域は空となっている。また、５ページ目は、Ｔ＝１２０秒の投影タイミングで各機器に投影表示されていた画像データ（１Ｅ．ｊｐｇ、２Ｅ．ｊｐｇ）を割り当てた例を示しており、６ページ目は、Ｔ＝１５０秒の投影タイミングで各機器に投影表示されていた画像データ（１Ｆ．ｊｐｇ、２Ｆ．ｊｐｇ）を割り当てた例を示している。
【００９８】
このように、複数のプロジェクタ１００で一連する投影表示を行う際に、何れかのプロジェクタ１００で投影表示が中断された場合、この中断中の期間については、投影表示継続中のプロジェクタ１００で投影表示された画像データを用いて印刷データを生成する。これにより、複数のプロジェクタ１００で一連する投影表示を行う際に、何れかのプロジェクタ１００が複数回投影を行った場合であっても、この投影内容に応じた画像データを容易に印刷することが可能となる。
【００９９】
また、図１７（図１９）では、プレゼン情報に含まれた投影情報の個数（図１３参照）に応じて、２ｉｎ１で印刷データを生成する形態を説明したが、これに限らず、印刷要求にて４ｉｎ１等の他の印刷方法が指定されている場合には、指定された印刷方法に従い印刷データを生成するものとする。
【０１００】
また、本実施の形態では、投影時間の大小は問わず全ての投影時間から投影タイミングを抽出する形態としたが、これに限らず、投影時間が所定の閾値未満のものについては、投影表示タイミングの抽出対象から除外する形態としてもよい。以下、図２０〜図２３を用いて、この形態を本実施形態の変形例として説明する。
【０１０１】
図２０は、投影情報管理部２０２に記憶されたプレゼン情報の一例を示す図である。ここで、図２０は、二台のプロジェクタ１００（以下、「機器１」、「機器２」と表記）の各々において生成された投影情報を示したものである。また、図２１は、記憶部２１０に記憶された画像リストの一例を示す図である。図２１の画像リストでは、画像ＩＤ１〜１１の画像データが登録された例を示している。
【０１０２】
印刷データ生成部２０４は、図１３に示したプレゼン情報、図１４に示した画像リスト（画像データ）を受信した後、このプレゼン情報に含まれる投影情報毎に、各表示情報に含まれた投影時間に基づいて、各画像データの投影タイミングを時系列順に抽出する。
【０１０３】
図２０のプレゼン情報の場合、各投影情報での投影時間の推移から、各画像データの投影タイミングは、図２２のように表すことができる。ここで、図２２は、画像データの投影タイミングの一例を示す図である。図２２では、時間Ｔ＝０秒に、機器１で画像データＡ、機器２で画像データＧの投影表示が開始され、時間Ｔ＝３０秒に、機器１で画像データＢ、機器２で画像データＨの投影表示が開始され、時間Ｔ＝６０秒に、機器２で画像データＩの投影表示が開始され、時間Ｔ＝９０秒に、機器１で画像データＣの投影表示が開始され、時間Ｔ＝１１７秒に、機器１で画像データＤの投影表示が開始され、時間Ｔ＝１２０秒に、機器１で画像データＥ、機器２で画像データＪの投影表示が開始され、時間Ｔ＝１８０秒に、機器１で画像データＦ、機器２で画像データＫの投影表示が開始された例を示している。
【０１０４】
本変形例の場合、印刷データ生成部２０４は、投影時間が所定の閾値未満の投影タイミングを抽出対象から除外する、ここで、例えば、閾値が５秒未満であったとすると、時間Ｔ＝１１７秒において機器１で投影表示された画像データＤの投影タイミングが除外されることとなる。その結果、印刷データ生成部２０４は、投影タイミングとして、機器１の投影情報からＴ＝０秒、３０秒、９０秒、１２０秒、１８０秒を抽出し、機器２の投影情報からＴ＝０秒、３０秒、６０秒、１２０秒、１８０秒を抽出する。
【０１０５】
続いて、印刷データ生成部２０４は、機器１の投影情報から抽出した投影タイミングと、機器２での投影情報から抽出した投影タイミングとを比較することで、略同一のタイミングで投影が開始された画像ＩＤが存在するか否かを判定し、Ｔ＝０秒、３０秒、１２０秒及び１８０秒が同一と判定する。その結果、印刷データ生成部２０４は、Ｔ＝０秒、３０秒、６０秒、９０秒、１２０秒、１８０秒の６つの投影タイミングについて、印刷データの生成を開始する。
【０１０６】
続いて、印刷データ生成部２０４は、上記Ｔ＝０秒、３０秒、６０秒、９０秒、１２０秒、１８０秒の投影タイミングに投影表示が行われていた画像ＩＤに対応する画像データを用いることで、図２３に示すような６ページ分の印刷データを生成する。ここで、図２３は、印刷データの一例を示す図である。ここで、１ページ目は、Ｔ＝０秒の投影タイミングで各機器に影表示されていた画像データ（Ａ．ｊｐｇ、Ｇ．ｊｐｇ）を割り当てた例を示しており、２ページ目は、Ｔ＝３０秒の投影タイミングで各機器に影表示されていた画像データ（Ｂ．ｊｐｇ、Ｈ．ｊｐｇ）を割り当てた例を示している。また、３ページ目は、Ｔ＝６０秒の投影タイミングで各機器に影表示されていた画像データ（Ｂ．ｊｐｇ、Ｉ．ｊｐｇ）を割り当てた例を示しており、４ページ目は、Ｔ＝９０秒の投影タイミングで各機器に影表示されていた画像データ（Ｃ．ｊｐｇ、Ｉ．ｊｐｇ）を割り当てた例を示している。さらに、５ページ目は、Ｔ＝１２０秒の投影タイミングで各機器に影表示されていた画像データ（Ｅ．ｊｐｇ、Ｊ．ｊｐｇ）を割り当てた例を示しており、６ページ目は、Ｔ＝１８０秒の投影タイミングで各機器に影表示されていた画像データ（Ｆ．ｊｐｇ、Ｋ．ｊｐｇ）を割り当てた例を示している。
【０１０７】
このように、本変形例によれば、投影時間が短い画像データを、印刷対象から除外することができる。これにより、例えば、投影時に議題とならなかった画像データや、操作ミスで投影されてしまった画像データを印刷対象から除外することが可能となるため、利便性を向上させることができる。
【０１０８】
（実施の形態２）
次に、実施の形態２の情報表示システムについて説明する。なお、本実施形態での情報表示システムの構成は、印刷データ生成部２０４に所定の機能を追加した以外、上述した実施の形態１の構成と同様であるため、詳細な説明を省略する。実施の形態２の情報表示システムでは、印刷データ生成装置２００が行う印刷データ生成処理が実施の形態１と異なっている。以下、図２４を用いて、実施の形態２の印刷データ生成処理について説明する。なお、実施の形態１の印刷データ生成部２０４と識別するため、本実施形態では、印刷データ生成部２０４Ａと表記する。
【０１０９】
図２４は、実施の形態２の印刷データ生成処理の手順を示すフローチャートである。まず、印刷データ生成部２０４Ａは、プレゼン情報に含まれる投影情報毎に、各表示情報に含まれた投影時間に基づいて、各画像ＩＤ（画像データ）の投影タイミングを時系列順に抽出する（ステップＳ１２１）。
【０１１０】
続いて、印刷データ生成部２０４Ａは、抽出した投影情報毎の投影タイミングのうち、画像ＩＤが同一の画像データについて投影タイミングが複数存在するか否かを判定する（ステップＳ１２２）。ここで、複数存在すると判定した場合には（ステップＳ１２２；Ｙｅｓ）、時系列的に最も古い投影タイミングを残して、他の投影タイミングを除外し（ステップＳ１２３）、ステップＳ１２４に移行する。なお、ステップＳ１２２において、存在しないと判定した場合には（ステップＳ１２２；Ｎｏ）、ステップＳ１２４に直ちに移行する。なお、ステップＳ１２４〜Ｓ１２８の処理は、上述したステップＳ１１２〜Ｓ１１６の処理と同様であるため、説明を省略する。
【０１１１】
以下、図２５〜図２８を用いて、本実施形態の印刷データ生成処理の動作例について説明する。
【０１１２】
図２５は、投影情報管理部２０２に記憶されたプレゼン情報の一例を示す図である。ここで、図２５は、二台のプロジェクタ１００（以下、「機器１」、「機器２」と表記）の各々において生成された投影情報を示したものである。また、図２６は、記憶部２１０に記憶された画像リストの一例を示す図である。図２６の画像リストでは、画像ＩＤ１〜７の画像データが登録された例を示している。
【０１１３】
印刷データ生成部２０４Ａは、図２５に示したプレゼン情報及び図２６に示した画像リスト（画像データ）を受信した後、このプレゼン情報に含まれる投影情報毎に、各表示情報に含まれた投影時間に基づいて、各画像データの投影タイミングを時系列順に抽出する。
【０１１４】
図２５のプレゼン情報の場合、各投影情報での投影時間の推移から、各画像データの投影タイミングは、図２７のように表すことができる。ここで、図２７は、画像データの投影タイミングの一例を示す図である。図２７では、時間Ｔ＝０秒に、機器１で画像データＡ、機器２で画像データＥの投影表示が開始され、時間Ｔ＝３０秒に、機器１で画像データＢの投影表示が開始され、時間Ｔ＝６０秒に、機器１で画像データＣ、機器２で画像データＦの投影表示が開始され、時間Ｔ＝８９秒に、機器１で画像データＢの投影表示が開始され、時間Ｔ＝９１秒に、機器１で画像データＣの投影表示が開始され、時間Ｔ＝１２０秒に、機器１で画像データＤ、機器２で画像データＧの投影表示が開始された例を示している。この場合、印刷データ生成部２０４Ａは、投影タイミングとして、機器１の投影情報からＴ＝０秒、３０秒、６０秒、８９秒、９１秒、１２０秒を抽出し、機器２の投影情報からＴ＝０秒、６０秒、１２０秒を抽出する。
【０１１５】
また、印刷データ生成部２０４Ａは、抽出した投影情報毎の投影タイミングについて、同一の画像ＩＤ（画像データ）についての投影タイミングが複数存在するか否かを判定する。ここで、図２７に示す投影タイミングの場合、機器１で画像データＢ及びＣについての投影タイミングが複数存在するため、Ｔ＝３０秒及び６０秒を残し、Ｔ＝８９秒及び９１秒を投影タイミングから除外する。この結果、機器１の投影情報から抽出された投影タイミングは、Ｔ＝０秒、３０秒、６０秒、１２０秒となる。
【０１１６】
続いて、印刷データ生成部２０４Ａは、機器１の投影情報から抽出した投影タイミングと、機器２での投影情報から抽出した投影タイミングとを比較することで、略同一のタイミングで投影が開始された画像ＩＤが存在するか否かを判定し、Ｔ＝０秒、６０秒、１２０秒が同一と判定する。その結果、印刷データ生成部２０４Ａは、Ｔ＝０秒、３０秒、６０秒、１２０秒の４つの投影タイミングについて、印刷データの生成を開始する。
【０１１７】
続いて、印刷データ生成部２０４Ａは、上記Ｔ＝０秒、３０秒、６０秒、１２０秒の投影タイミングに投影表示が行われていた画像ＩＤに対応する画像データを用いることで、図２８に示すような４ページ分の印刷データを生成する。ここで、図２８は、印刷データの一例を示す図である。１ページ目は、Ｔ＝０秒の投影タイミングで各機器に影表示されていた画像データ（Ａ．ｊｐｇ、Ｅ．ｊｐｇ）を割り当てた例を示しており、２ページ目は、Ｔ＝３０秒の投影タイミングで各機器に影表示されていた画像データ（Ｂ．ｊｐｇ、Ｅ．ｊｐｇ）を割り当てた例を示している。また、３ページ目は、Ｔ＝６０秒の投影タイミングで各機器に影表示されていた画像データ（Ｃ．ｊｐｇ、Ｆ．ｊｐｇ）を割り当てた例を示しており、４ページ目は、Ｔ＝１２０秒の投影タイミングで各機器に影表示されていた画像データ（Ｄ．ｊｐｇ、Ｇ．ｊｐｇ）を割り当てた例を示している。
【０１１８】
このように、本実施形態によれば、重複する画像データが印刷されてしまうことを防止することができるため、無駄を省くことが可能となり、投影時の状態をより的確に反映した印刷データを生成することができる。
【０１１９】
なお、本実施形態では、投影表示された画像データ（画像ＩＤ）の同一性に基づいて投影タイミングを除外する形態としたが、これに限らず、表示情報の操作内容「戻る」に基づいて、投影タイミングを除外する形態としてもよい。また、操作内容の情報に基づいて、投影タイミングを除外する形態の場合、例えば、「戻る」操作の後、所定時間以上の投影が行われ、再度「進む」操作が行われた際には、この「戻る」操作の対象となった画像データに対し説明が行われたと判断することで、この投影タイミングを残すよう処理してもよい。
【０１２０】
また、本実施形態では、同一の画像データが２回目以上投影表示された際の投影表示タイミングを除外する形態としたが、これに限らず、所定回数までは許容し、所定の回数（例えば、３回）を超えた場合に、この所定回数目以降の投影表示タイミングを除外する形態としてもよい。
【０１２１】
（実施の形態３）
次に、実施の形態３の情報表示システムについて説明する。なお、本実施形態での情報表示システムの構成は、印刷データ生成部２０４に所定の機能を追加した以外、上述した実施の形態１の構成と同様であるため、詳細な説明を省略する。実施の形態３の情報表示システムでは、印刷データ生成装置２００が行う印刷データ生成処理が実施の形態１と異なっている。以下、図２９を用いて、実施の形態３の印刷データ生成処理について説明する。なお、実施の形態１の印刷データ生成部２０４と識別するため、本実施形態では、印刷データ生成部２０４Ｂと表記する。
【０１２２】
図２９は、実施の形態３の印刷データ生成処理の手順を示すフローチャートである。なお、本実施形態の前提として、プロジェクタ１００から送信される印刷要求に、当該プロジェクタ１００の投影場所を示す投影場所情報が含まれているものとする。
【０１２３】
まず、印刷データ生成部２０４Ｂは、プレゼン情報に含まれる投影情報毎に、各表示情報に含まれた投影時間に基づいて、各画像ＩＤ（画像データ）の投影タイミングを時系列順に抽出する（ステップＳ１３１）。次いで、印刷データ生成部２０４Ｂは、各投影情報について抽出した投影タイミングを比較し（ステップＳ１３２）、略同一となる投影タイミングが存在するか否かを判定する（ステップＳ１３３）。
【０１２４】
ステップＳ１３３において、存在すると判定した場合（ステップＳ１３３；Ｙｅｓ）、印刷データ生成部２０４Ｂは、該当する投影タイミングを同一の投影タイミングとみなし（ステップＳ１３４）、ステップＳ１３５に移行する。なお、ステップＳ１３４において、存在しないと判定した場合には（ステップＳ１３４；Ｎｏ）、ステップＳ１３５に直ちに移行する。
【０１２５】
続いて、印刷データ生成部２０４Ｂは、以下のステップＳ１３５〜Ｓ１３７の処理を、抽出した投影タイミングの個数分、時系列順位に繰り返し実行する。
【０１２６】
印刷データ生成部２０４Ｂは、処理対象とした投影タイミングに対応する画像データを取得する（ステップＳ１３５）。続いて、印刷データ生成部２０４Ｂは、印刷要求に含まれた投影場所情報と、取得した各画像データの画像ＩＤに関連付けられた投影場所情報とに基づいて、印刷時のサイズを調整した後（ステップＳ１３６）、これら画像データを用いて印刷データを生成する（ステップＳ１３７）。
【０１２７】
具体的に、印刷データ生成部２０４Ｂは、取得した画像データのうち、画像データの画像ＩＤが登録された表示情報（又は投影情報）の投影場所情報が、印刷要求に含まれた投影場所情報と一致した画像データを、他の画像データよりも大きく印刷するようサイズ調整を行うことで、印刷要求に含まれた投影場所情報と一致した画像データを強調する。
【０１２８】
印刷データ生成部２０４は、上記ステップＳ１３５〜Ｓ１３７の処理を、投影タイミングの個数分繰り返し行うことで、印刷要求を送信したプロジェクタ１００の投影場所で投影表示された画像データを、他の投影場所で投影表示された画像データよりも強調した印刷データを生成することができる。
【０１２９】
以下、図１３、図１４、図１６、図３０及び図３１を用いて、本実施形態の印刷データ生成処理の動作例について説明する。
【０１３０】
まず、投影情報管理部２０２に記憶されたプレゼン情報が図１３で示す状態にあるとする。また、記憶部２１０に記憶された画像リストが図１４に示す状態にあるとする。
【０１３１】
図１３のプレゼン情報の場合、各投影情報での投影時間の推移から、各画像データの投影タイミングは、上述したように図１６のように表すことができる。印刷データ生成部２０４は、略同一のタイミングで投影が開始された画像ＩＤが存在するか否かを判定し、Ｔ＝０秒が同一と判定するとともに、Ｔ＝２９秒とＴ＝３１秒が略同一と判定する。そして、印刷データ生成部２０４は、Ｔ＝２９及びＴ＝３１を、例えばＴ＝３０等とすることで同一のタイミングとみなして処理する。その結果、印刷データ生成部２０４は、Ｔ＝０秒、３０秒、６０秒、９０秒の４つを、印刷データを生成する個数として決定する。
【０１３２】
続いて、印刷データ生成部２０４は、上記Ｔ＝０秒、３０秒、６０秒、９０秒のタイミングで投影表示が行われた画像ＩＤに対応する画像データを用いることで、印刷データの生成を開始する。ここで、印刷要求に含まれた投影場所情報が「Ａ会議室」であった場合、印刷データ生成部２０４は、図１３の機器１についての投影情報から、画像データＡ、Ｂ及びＣに対応する画像ＩＤ１〜３の投影場所情報が「Ａ会議室」と判断し、これら画像データＡ、Ｂ及びＣの印刷時のサイズを、画像データＤ、Ｅ及びＦよりも大きくなるよう調整する。また、印刷要求に含まれた投影場所情報が「Ｂ会議室」であった場合、印刷データ生成部２０４は、図１３の機器２についての投影情報から、画像データＤ、Ｅ及びＦに対応する画像ＩＤ４〜６の投影場所情報が「Ｂ会議室」と判断し、これら画像データＤ、Ｅ及びＦの印刷時のサイズを、画像データＡ、Ｂ及びＣよりも大きくなるよう調整する。そして、印刷データ生成部２０４は、サイズ調整後の画像データを用いて印刷データを生成する。
【０１３３】
ここで、図３０は、投影場所情報として「Ａ会議室」を含んだ印刷要求に応じて生成された印刷データの一例を示す図である。図３０に示すように、画像データＡ、Ｂ及びＣのサイズが、画像データＤ、Ｅ及びＦのサイズよりも大きく構成されている。また、図３１は、投影場所情報として「Ｂ会議室」を含んだ印刷要求に応じて生成された印刷データの一例を示す図である。図３１に示すように、画像データＤ、Ｅ及びＦのサイズが、画像データＡ、Ｂ及びＣのサイズよりも大きく構成されている。
【０１３４】
このように、本実施形態によれば、印刷要求を出力したプロジェクタ１００の投影場所（設置場所）に応じて、画像データのサイズを調整した印刷データを生成する。これにより、印刷要求を出力したプロジェクタ１００の投影場所（設置場所）に応じて、この投影場所で投影表示された画像データを強調した状態で印刷することができるため、利便性を向上させることができる。
【０１３５】
なお、図３０及び図３１では、印刷要求に含まれた投影場所情報に応じて、印刷データ中の画像データの割り付け位置（左右の割り付け位置）を切り換える形態としたが、これに限らず、画像データの割り付けは固定としてもよい。
【０１３６】
次に、上記実施の形態１〜３の印刷データ生成装置２００のハードウェア構成について説明する。図３２は、実施の形態１〜３の印刷データ生成装置２００のハードウェア構成例を示すブロック図である。
【０１３７】
実施の形態１〜３の印刷データ生成装置２００は、ＣＰＵ２２０２と、ＲＯＭ（Ｒｅａｄ  Ｏｎｌｙ  Ｍｅｍｏｒｙ）２２０３やＲＡＭ２２０４などの記憶装置と、ＨＤＤ２１０やＣＤドライブ装置（不図示）などの外部記憶装置と、ディスプレイ装置などの表示装置（不図示）と、キーボードやマウスなどの入力装置（不図示）と、ネットワークＩ／Ｆ２２０１とを主に備えており、通常のコンピュータを利用したハードウェア構成となっている。
【０１３８】
実施の形態１〜３の印刷データ生成装置２００で実行される印刷データ生成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１３９】
また、実施の形態１〜３の印刷データ生成装置２００で実行される印刷データ生成プログラムを、インターネット等のネットワークに接続されたコンピュータ上に格納し、ネットワーク経由でダウンロードさせることにより提供するように構成してもよい。また、実施の形態１〜３の印刷データ生成装置２００で実行される印刷データ生成プログラムをインターネット等のネットワーク経由で提供又は配布するように構成してもよい。
【０１４０】
また、実施の形態１〜３の印刷データ生成装置２００で実行される印刷データ生成プログラムを、ＲＯＭ２２０３等に予め組み込んで提供するように構成してもよい。
【０１４１】
実施の形態１〜３の印刷データ生成装置２００で実行される印刷データ生成プログラムは、上述した各部（通信部、投影情報管理部、文書管理部、印刷データ生成部、画像データ生成部）を含むモジュール構成となっており、実際のハードウェアとしてはＣＰＵ（プロセッサ）が上記記憶媒体から印刷データ生成プログラムを読み出して実行することにより上記各部がＲＡＭ２２０４等の主記憶装置上にロードされ、通信部、投影情報管理部、文書管理部、印刷データ生成部、画像データ生成部が主記憶装置上に生成されるようになっている。
【０１４２】
次に、実施の形態１〜３のプロジェクタ１００のハードウェア構成について説明する。図３３は、実施の形態１〜３のプロジェクタ１００のハードウェア構成例を示すブロック図である。図３３に示すように、プロジェクタ１００は、主なハードウェア構成として、ＣＰＵ（Ｃｅｎｔｒａｌ  Ｐｒｏｃｅｓｓｉｎｇ  Ｕｎｉｔ）２３０５と、ＲＯＭ２３０６と、ＲＡＭ２３０７と、投影ユニット２３０８と、映像端子２３０４と、ＵＳＢ２３０２と、シリアルバス２３０３と、ネットワークＩ／Ｆ（インタフェース）２３０１とがバスに接続された構成となっている。
【０１４３】
ＣＰＵ２３０５は、プロジェクタ１００の全体の処理を制御する演算装置である。ＲＡＭ２３０７は、ＣＰＵ２３０５による各種処理に必要なデータを記憶する。ＲＯＭ２３０６は、ＣＰＵ２３０５による各種処理を実現するプログラム等を記憶する。
【０１４４】
投影ユニット２３０８は、文書データを映し出す装置であり、投影表示部１０４により制御される。投影ユニット２３０８は、例えば、液晶パネルにより発光した光を、レンズ等を含む光学系で拡大して投影する。なお、投影ユニット２３０８による投影方法はこれに限られるものではなく、ＬＥＤ（Ｌｉｇｈｔ  Ｅｍｉｔｔｉｎｇ  Ｄｉｏｄｅ）を光源として用いた方法などの従来から用いられているあらゆる投影方法を適用できる。
【０１４５】
映像端子２３０４は、ＰＣ等と接続してＰＣ等からの映像を受信して投影する場合に利用する入力端子である。ネットワークＩ／Ｆ（インタフェース）２３０１は、印刷データ生成装置２００等の外部装置とネットワークを介して接続し、接続した外部装置との間でデータを送受信するためのインタフェースである。
【０１４６】
なお、実施の形態１〜３のプロジェクタ１００で実行される各種プログラムは、ＲＯＭ２３０６等に予め組み込まれて提供される。
【０１４７】
実施の形態１〜３のプロジェクタ１００で実行される各種プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１４８】
さらに、実施の形態１〜３のプロジェクタ１００で実行される各種プログラムを、インターネット等のネットワークに接続されたコンピュータ上に格納し、ネットワーク経由でダウンロードさせることにより提供するように構成してもよい。また、実施の形態１〜３のプロジェクタ１００で実行される各種プログラムをインターネット等のネットワーク経由で提供又は配布するように構成してもよい。
【０１４９】
実施の形態１〜３のプロジェクタ１００で実行される各種プログラムは、上述した各部（通信部、投影情報生成部、投影表示部）を含むモジュール構成となっており、実際のハードウェアとしてはＣＰＵ２３０５がＲＯＭ２３０６から投影情報生成プログラムを読み出して実行することにより上記各部がＲＡＭ２３０７等の主記憶装置上にロードされ、通信部、投影情報生成部、投影表示部が主記憶装置上に生成されるようになっている。
【０１５０】
以上、本発明に係る実施の形態を説明したが、上記実施の形態は、例として提示したものであり、発明の範囲を限定することは意図していない。上記実施の形態は、その他の様々な形態で実施されることが可能であり、発明の要旨を逸脱しない範囲で、種々の省略、置き換え、変更、追加等を行うことができる。また、上記実施の形態やその変形は、発明の範囲や要旨に含まれるとともに、特許請求の範囲に記載された発明とその均等の範囲に含まれる。
【０１５１】
例えば、上記実施の形態では、画像形成装置を、印刷装置に適用した例をあげて説明したが、これに限らず、複写装置やファクシミリ装置、コピー機能、プリンタ機能、スキャナ機能及びファクシミリ機能のうち少なくとも二つの機能を有する複合機等の画像形成装置に適用することができる。
【０１５２】
また、上記実施形態では、プロジェクタ１００の操作部１０２を介して投影場所情報を入力する形態としたが、これに限らず、屋内位置検出のためのデバイスをプロジェクタ１００が備えることで、自己の装置の配置位置（投影場所情報）を自動で取得する形態としてもよい。また、上記実施形態では、プロジェクタ１００の操作部１０２を介してユーザ情報を入力する形態としたが、これに限らず、ユーザ認証に係るデバイス（例えば、生体認証装置等）をプロジェクタ１００が備えることで、当該デバイスを介してユーザ情報を入力する形態としてもよい。
【０１５３】
また、印刷データ生成装置２００の機能（通信部２０１、投影情報管理部２０２、文書管理部２０３、印刷データ生成部２０４、画像データ生成部２０５、記憶部２１０）を、プロジェクタ１００が備える形態としてもよい。この場合、例えば、印刷データ生成装置２００の機能を有したプロジェクタ１００と、通常構成のプロジェクタ１００との間で、上述した投影表示処理や印刷処理等を行う形態としてもよい。
【０１５４】
また、上記実施形態では、画像データの表示出力を制御する表示制御装置の一例として、情報表示（投影）装置であるプロジェクタ１００を用いる構成を説明したが、これに限らないものとする。例えば、液晶や有機ＥＬ等の表示装置を備えた情報表示装置や、外部装置である表示装置の表示制御を行うＰＣ等の情報処理装置を用いる構成としてもよい。
【０１５５】
ここで、図３４は、情報表示システムの他の構成例を示す図である。同図では、上述したプロジェクタ１００、印刷データ生成装置２００及び印刷装置３００の他に、液晶や有機ＥＬ等の表示装置を備えた表示制御装置である情報表示装置として、タブレット端末１００ａ及び携帯端末１００ｂを有した構成例を示している。また、外付けされた表示装置１００ｃの表示制御を行う表示制御装置として、ＰＣ１００ｄを有した構成例を示している。同図において、プロジェクタ１００、タブレット端末１００ａ、携帯端末１００ｂ及びＰＣ１００ｄは、有線又は無線のネットワークＮを介して印刷データ生成装置２００に接続される。この構成の場合、タブレット端末１００ａ及び携帯端末１００ｂ、ＰＣ１００ｄの各々は、プロジェクタ１００と同様の処理を行う。なお、タブレット端末１００ａ及び携帯端末１００ｂ、ＰＣ１００ｄの各々は、画像データの表示制御に関しプロジェクタ１００と同様の機能構成を備えるものとする。
【０１５６】
また、上記実施形態では、プロジェクタ１００は、表示出力の対象となる画像データを印刷データ生成装置２００から取得する構成としたが、これに限らず、印刷データ生成装置２００以外の画像データ供給装置（例えば、ＰＣや携帯端末、タブレット等の情報処理装置、ＵＳＢメモリ等の記憶装置等）から画像データを取得する構成としてもよい。
【０１５７】
ここで、図３５は、情報表示システムの他の構成例を示す図である。同図では、プロジェクタ１００（１００ｅ）、印刷データ生成装置２００、印刷装置３００の他に、画像データ供給装置として、ＰＣ５００ａ、タブレット端末５００ｂ及び携帯端末５００ｃを有した構成例を示している。また、プロジェクタ１００ｅには、図示しないＵＳＢインタフェースを介して、画像データ供給装置であるＵＳＢメモリ５００ｄが、着脱自在に接続された例を示している。なお、各装置は有線又は無線のネットワークＮを介して、接続されている。
【０１５８】
図３５の構成の場合、プロジェクタ１００（１００ｅ）は、ＰＣ５００ａ、タブレット端末５００ｂ、携帯端末５００ｃが保持する画像データを、有線又は無線のネットワークＮを介して取得することができる。また、プロジェクタ１００ｅは、ＵＳＢメモリ５００ｄが保持する画像データを取得することができる。なお、取得した画像データが表示可能な形式に変換されていない場合は、プロジェクタ１００（１００ｅ）において、表示可能な形式に変換し、変換した各画像データを識別する画像ＩＤを生成することでリストを作成し、その画像ＩＤを含む表示情報を、元の画像データとともに印刷データ生成装置２００に出力する構成としてもよい。これにより、以降の処理を上記実施形態と同様に行うことが可能となる。
【０１５９】
また、上記実施形態では、表示制御装置であるプロジェクタ１００から印刷データ生成装置２００へ印刷要求を出力する構成としたが、これに限らず、プロジェクタ１００以外の印刷要求出力装置（例えば、ＰＣや携帯端末、タブレット等の情報処理装置）から印刷要求を出力する構成としてもよい。
【０１６０】
ここで、図３６は、情報表示システムの他の構成例を示す図である。同図において、情報表示システムは、プロジェクタ１００、印刷データ生成装置２００及び印刷装置３００に加え、ＰＣやタブレット等の印刷要求出力装置６００を有し、各装置は有線又は無線のネットワークＮを介して接続されている。
【０１６１】
図３６の構成の場合、印刷要求出力装置６００では、印刷データ生成装置２００からプレゼン情報の一覧を取得（受信）し、図示しない操作部等を介して印刷の対象とするプレゼン情報が指示されると、この指示されたプレゼン情報の印刷を要求する印刷要求を印刷データ生成装置２００に送信する（ステップＳ２０１）。そして、印刷データ生成装置２００では、印刷要求出力装置６００から印刷要求を受け付けると、この印刷要求で指示されたプレゼン情報に基づいて印刷データ生成処理を実行し、生成した印刷データを印刷装置３００に送信する（ステップＳ２０２）。これにより、印刷装置３００で印刷が行われることになる。
【０１６２】
また、プロジェクタ１００が印刷データ生成装置２００の機能を有する場合には、図３７に示すような構成となる。ここで、図３７は、情報表示システムの他の構成例を示す図である。同図において、プロジェクタ１００ｆは、印刷データ生成装置２００の機能を有しており、図３６と同様、ネットワークＮに接続されている。
【０１６３】
図３７の構成の場合、印刷要求出力装置６００は、プロジェクタ１００ｆからプレゼン情報の一覧を取得（受信）し、図示しない操作部等を介して印刷の対象とするプレゼン情報が指示されると、この指示されたプレゼン情報の印刷を要求する印刷要求をプロジェクタ１００ｆに送信する（ステップＳ３０１）。そして、プロジェクタ１００ｆでは、印刷要求出力装置６００から印刷要求を受け付けると、この印刷要求で指示されたプレゼン情報に基づいて印刷データ生成処理を実行し、生成した印刷データを印刷装置３００に送信する（ステップＳ３０２）。これにより、印刷装置３００で印刷が行われることになる。
【符号の説明】
【０１６４】
１００  プロジェクタ
１０１  通信部
１０２  操作部
１０３  投影情報生成部
１０４  投影表示部
２００  印刷データ生成装置
２０１  通信部
２０２  投影情報管理部
２０３  文書管理部
２０４、２０４Ａ、２０４Ｂ  印刷データ生成部
２０５  画像データ生成部
２１０  記憶部
３００  印刷装置
３０１  印刷部
４００  ＰＣ
２２０１  ネットワークＩ／Ｆ
２２０２  ＣＰＵ
２２０３  ＲＯＭ
２２０４  ＲＡＭ
２３０１  ネットワークＩ／Ｆ
２３０２  ＵＳＢ
２３０３  シリアルバス
２３０４  映像端子
２３０５  ＣＰＵ
２３０６  ＲＯＭ
２３０７  ＲＡＭ
２３０８  投影ユニット
【先行技術文献】
【特許文献】
【０１６５】
【特許文献１】特開２００７−０７２６８７号公報
【特許文献２】特開２００２−２４７５３９号公報
【図１】
0005927925.tif 000002
【図２】
0005927925.tif 000003
【図３】
0005927925.tif 000004
【図４】
0005927925.tif 000005
【図５】
0005927925.tif 000006
【図６】
0005927925.tif 000007
【図７】
0005927925.tif 000008
【図８】
0005927925.tif 000009
【図９】
0005927925.tif 000010
【図１０】
0005927925.tif 000011
【図１１】
0005927925.tif 000012
【図１２】
0005927925.tif 000013
【図１３】
0005927925.tif 000014
【図１４】
0005927925.tif 000015
【図１５】
0005927925.tif 000016
【図１６】
0005927925.tif 000017
【図１７】
0005927925.tif 000018
【図１８】
0005927925.tif 000019
【図１９】
0005927925.tif 000020
【図２０】
0005927925.tif 000021
【図２１】
0005927925.tif 000022
【図２２】
0005927925.tif 000023
【図２３】
0005927925.tif 000024
【図２４】
0005927925.tif 000025
【図２５】
0005927925.tif 000026
【図２６】
0005927925.tif 000027
【図２７】
0005927925.tif 000028
【図２８】
0005927925.tif 000029
【図２９】
0005927925.tif 000030
【図３０】
0005927925.tif 000031
【図３１】
0005927925.tif 000032
【図３２】
0005927925.tif 000033
【図３３】
0005927925.tif 000034
【図３４】
0005927925.tif 000035
【図３５】
0005927925.tif 000036
【図３６】
0005927925.tif 000037
【図３７】
0005927925.tif 000038